(57)【特許請求の範囲】
【請求項１】
建物の床下から床暖房マットを床の下面に当てる床暖房マットの敷設方法であって；
床暖房マット敷設治具を用いて温水マットを下から支え、
上記床暖房マット敷設治具が、配列された複数の根太間を掛け渡す基板と、基板の上に根太のピッチと実質的に同一のピッチで配列された、その幅が隣り合う根太間の間隔よりも狭い複数の押圧板と、を備え；
根太間に配置する床暖房マットの下面を上に押圧するように上記押圧板を当て、上記基板を根太の下面に固定することを特徴とする床暖房マット敷設方法。
【請求項２】
上記押圧板が軽量発泡樹脂材からなり、上記床暖房マットの下面に当てたときに該押圧板が自由時の厚さの１／２〜１／３に縮み、その弾性反発力で床暖房マットを上に押し上げることを特徴とする請求項１記載の床暖房マット敷設方法。
【請求項３】
建物の床下から床暖房マットを床の下面に当てる床暖房マットの敷設方法であって；
床暖房マット敷設治具を用いて温水マットを下から支え、
上記床暖房マット敷設治具が、幅が隣り合う根太間隔よりもやや広い弾性のある板状治具であって、その両側部に根太側面に食い込む爪が形成されており、
まず該板状治具を下凹にして上記根太の側面間に挟み、次に、該治具の下面を押して上凸にしてその上面で上記床暖房マットを押し上げることを特徴とする床暖房マット敷設方法。
【請求項４】
ほぼ平行に配列された大引と、大引上に大引とほぼ直交する方向に配列された根太と、根太上に張られた床と、を備える建物に床暖房マットを敷設する際に、
床下から床暖房マットを床の下面に当て、床暖房マットの長手方向端部を床と大引又は土台の間のスキマに差し込み、このとき、床暖房マットを長手方向にたわませてマットを差し込むことを特徴とする請求項１、２又は３記載の床暖房マット敷設方法。
【請求項５】
建物の床下に配列された複数の根太間を掛け渡す基板と、
基板の上に根太のピッチと実質的に同一のピッチで配列された、その幅が隣り合う根太間の間隔よりも狭い複数の押圧板と、
を備えることを特徴とする床暖房マット敷設治具。
【請求項６】
上記押圧板が軽量発泡樹脂材からなり、上記床暖房マットの下面に当てたときに該押圧板が自由時の厚さの１／２〜１／３に縮み、その弾性反発力で床暖房マットを上に押し上げることを特徴とする請求項５記載の床暖房マット敷設治具。
【請求項７】
建物の床下に配列された根太の隣り合う根太間隔よりもやや広い幅を有する弾性板からなり、
該弾性板の両側部に上記根太側面に食い込む爪が形成されており、
根太間に上凸に弾性変形させて押し込み、該弾性板の上面で床暖房マットの下面を上に押圧することを特徴とする床暖房マット敷設治具。
【発明の詳細な説明】
【０００１】
【発明の属する技術分野】
本発明は、温水式の床暖房マットの敷設方法等に関する。特には、既設の建物に後付けで床暖房を設置しやすいように改良を加えた床暖房マット敷設方法に関する。また、同方法に適した床暖房マット及び床暖房マット敷設治具に関する。
【０００２】
【従来の技術】
床暖房は、床板（フローリング）や畳の下に敷いた温水マット中の放熱管に温水（一例６０℃）を流すことにより、室内を床から暖める方式の暖房である。一般の暖房では暖めにくい室内の底部を有効に暖めることができるので好評であり、近年の住宅向けに多く設置されつつある。
【０００３】
建物の床に床暖房マットを敷設する方式は、図１４、１５、１６に示すように、いくつかのものがある。
図１４は、従来の床暖房マット敷設方法を説明するための図である。（Ａ）は一部破断斜視図、（Ｂ）は掛具の取り付け方を拡大して示す斜視図、（Ｃ）は全体の断面図である。
この方式では、建物の床下構造である大引７の上の根太５に掛具１０１を掛けて、その上に床暖房マット３を置く方法である。掛具１０１の上辺１０１ａの下面には、根太５の上表面に食い込む爪が形成されている。床暖房マット３は、隣り合う根太５間の空間に浮いた状態で保持される。床暖房マット３上には、木質のフローリング材１又は畳（図示されず）が敷かれる。
【０００４】
図１５は、図１４の従来の床暖房マット敷設方法の変形例を示す図である。
この方式では、床暖房マット１０７の幅方向両端に鍔１０７ａを出して、その鍔１０７ａを根太５の上に引っ掛けている。
【０００５】
図１６は、従来の他の床暖房マット敷設方法（根太上置き方式）を説明するための図である。（Ａ）は斜視図、（Ｂ）は断面図である。
この方式では、根太５の上に下地合板１０３を敷いて、その上に床暖房マット３を敷いている。そして根太間には図１６（Ｂ）に示すように断熱材１０５を取り付ける。
【０００６】
【発明が解決しようとする課題】
上述の図１４の方式には以下のような問題点がある。
（１）掛具１０１は、根太の固い節目（図１４（Ｂ）の符号５ａ）のような所には打ち込むことができない。
（２）取付治具を使用する場合、取付治具を正確に真上から打つ必要があるため、打ち損じによる取付治具の破損を起こす場合が多く、また、取付治具の予備を用意しておく必要があるためコストが高くなる。
（３）根太間隔が広い場合、図１７に示すように、定尺の取付治具では温水マットが取付治具から外れることがあり、根太間隔に応じた取付治具が必要になる。
（４）床上から温水マットを固定するため、図１８に示すように床材の施工時に温水マットが根太間の中心位置から長手方向及び幅方向に外れる場合があり、床暖房時の温度分布が悪くなるケースがある。
【０００７】
上述の図１５の方式には以下のような問題点がある。
（１）温水マットを根太（図１５の符号５）に固定する際、鍔１０７ａの部分に釘、ビス等による固定となるため、仕上材を固定する際に、仕上材を固定するビスが当たってしまう可能性がある。
（２）根太高さが低い場合、温水マットが大引に当たり、設置できない可能性がある。
（３）根太の設置間隔にバラツキがあった場合、温水マットが入らない可能性がある。
【０００８】
上述の図１６の方式では、温水マットと下地合板とをビスや釘等で固定してからその上にフローリング材を設置するので、床が通常の仕上げ高さより１２mm程度上がり、マット周辺に不陸（凹凸）を調整する合板（捨て貼り）を敷きつめる必要がある。
【０００９】
また一般的には、従来の床暖房マット敷設方法はいずれも床暖房マットを上から（室内側から）置く方式であったので、以下のような問題点があった。
（１）既設の建物に施工するには、床の上に置いてある家具やピアノなどを全て室外に出して床材を剥がす必要があった。そのため居住者に不便をかけるとともに、工期が長く、工費も高くなっていた。
（２）同様に古くなった床暖房マットの更新や修理も大変であった。特に、床暖房マットと床材を接着剤で接着する場合は剥がすのに多大な手間がかかっていた。
（３）仕上げ材の種類によっては、マットの厚み、硬さ、捨て貼り等による調整が必要であった。
【００１０】
本発明は、このような問題点に鑑みてなされたもので、既設の建物に後付けで床暖房を設置しやすいように改良を加えた床暖房マット敷設方法を提供することを目的とする。また、同方法に適した床暖房マット敷設治具を提供することを目的とする。
【００１１】
本発明に関連する床暖房マット敷設方法は、  マット板と、マット板に配設された温水パイプと、マット板上面に貼られた放熱シートと、を備える床暖房マットを敷設する方法であって；  建物の床下から床暖房マットを床の下面に当てて固定することを特徴とする。
この場合、根太間の床の下面に床暖房マットを当てて固定することが好ましい。
【００１２】
敷設の際には、床暖房マットの長手方向端部を床と大引又は土台の間のスキマに差し込むことが好ましい。また、床暖房マットの長手方向端部を寸法調整可能としておき、床暖房マットの長手方向寸法を調整することが好ましい。さらに床暖房マットを長手方向にたわませてマットを差し込むことが好ましい。マットを取り付けやすく、大引や土台の上にも床暖房マットが存在するので床の温度ムラを小さくできる。
【００１３】
本発明に関連する他の床暖房マット敷設方法は、  ほぼ平行に配列された大引と、大引上に大引とほぼ直交する方向に配列された根太と、根太上に張られた床と、を備える建物に床暖房マットを敷設する方法であって；  建物の床下から床暖房マットを床の下面に当てるとともに、根太の下をくぐらせて隣り合うマット間に温水パイプを接続することを特徴とする。
この際、床暖房マットの両側面に接続用温水パイプ取出し部を設けておき、同部から接続用温水パイプを取り出して隣り合うマット間で配管接続することが好ましい。このようにすることにより、床暖房マットを床下で引きずって移動させても温水パイプは地面等に触れないので傷付かない。
【００１４】
また、床暖房マットを長手方向に折り畳み式として、敷設時に広げて床の下面に当てることも好ましい。例えば、長さ１８００mmの長尺タイプの床暖房マットにおいては、折りたたみ構造とすることにより、床下への搬入を容易にし、かつ床下の狭い空間で容易に広げられる。
【００１５】
本発明の床暖房マット敷設方法は、  建物の床下から床暖房マットを床の下面に当てる床暖房マットの敷設方法であって；  床暖房マット敷設治具を用いて温水マットを下から支え、上記床暖房マット敷設治具が、配列された複数の根太間を掛け渡す基板と、基板の上に根太のピッチと実質的に同一のピッチで配列された、その幅が隣り合う根太間の間隔よりも狭い複数の押圧板と、を備え；根太間に配置する床暖房マットの下面を上に押圧するように上記押圧板を当て、上記基板を根太の下面に固定することを特徴とする。こうすることにより、軟質のマット板材を用いた場合にも、マットの垂れ下がりを防止でき、マットと床との間の接触状態を良好にでき、暖房の熱を効率よく床を介して室内に供給できる。
本発明の他の床暖房マット敷設方法は、上記床暖房マット敷設治具が、幅が隣り合う根太間隔よりもやや広い弾性のある板状治具であって、その両側部に根太側面に食い込む爪が形成されており、まず該板状治具を下凹にして上記根太の側面間に挟み、次に、該治具の下面を押して上凸にしてその上面で上記床暖房マットを押し上げることを特徴とする。
【００１６】
本発明に関連する床暖房マットは、  実質的に長方形の平面形状を有するマット板と、このマット板に配設された温水パイプと、を備える床暖房マットであって；  上記マット板の長手方向のほぼ中央の両側部に、温水パイプの接続口が設けられていることを特徴とする。このような構成により、根太を隔てて隣り合う床暖房マット間に、温水パイプを根太の下をくぐらせて容易に接続できる。この場合、上記接続口にワンタッチ継手が取り付けられていることが好ましい。また上記マット板の一部に凹部が形成されており、上記接続口手前の温水パイプが該凹部に収納可能であることが好ましい。床暖房マットを床下で引きずって移動させても温水パイプは地面等に触れないので傷付かない。
本発明の床暖房マット敷設治具は、建物の床下に配列された複数の根太間を掛け渡す基板と、基板の上に根太のピッチと実質的に同一のピッチで配列された、その幅が隣り合う根太間の間隔よりも狭い複数の押圧板と、を備えることを特徴とする。
本発明の他の床暖房マット敷設治具は、建物の床下に配列された根太の隣り合う根太間隔よりもやや広い幅を有する弾性板からなり、該弾性板の両側部に上記根太側面に食い込む爪が形成されており、根太間に上凸に弾性変形させて押し込み、該弾性板の上面で床暖房マットの下面を上に押圧することを特徴とする。
【００１７】
本発明に関連する床暖房マットにおいては、上記マット板が中央部において分割されており、少なくとも１本の温水パイプが同部を縦断しており、分割部においてマットを折り畳んだ際に湾曲する温水パイプを収納する凹部がマット板に形成されていることが好ましい。床暖房マットを折り畳んだときに温水パイプに無理な屈曲が加わらず、パイプの潰れを防止できる。
【００１８】
本発明の床暖房マットは、上記マット板が軽量発泡樹脂材からなることが好ましい。作業性の悪い床下でマットを持ち運びやすく、またマットを根太と大引の間にたわませて挿入しやすい。ここで軽量発泡樹脂材とは密度０．０１〜０．１g/cm3 、発泡率５〜９０程度の発泡樹脂材のことである。
また、断熱性の高い軽量発泡樹脂材との一体成型により断熱構造を加味した構造とすることも好ましい。熱ロスを抑制して経済的に暖房できる。
【００１９】
以下、図面を参照しつつ説明する。
図１は、本発明の１実施例に係る床暖房マット敷設方法を説明するための図である。（Ａ）は建物の床の断面図である。（Ｂ）は床暖房マットの構造例を示す断面図である。
【００２０】
この例の床暖房マット３は、図１（Ｂ）に示すように、マット板１５、温水パイプ１３、放熱シート１１等を備える。マット板１５は、発泡ポリエチレン等の軽量断熱材で作られている。マット板１５の上面には、温水パイプ溝１５ａが形成されており、同溝１５ａ中には温水パイプ１３がはめ込まれている。温水パイプ１３は架橋ポリエチレン等の可撓性のある材料からなる。温水パイプ１３内には約６０℃の温水が流れる。溝１５ａの部分を含むマット板１５の上表面には、アルミ箔からなる放熱シート１１が貼り付けられている。放熱シート１１は、温水パイプ１３から放出される熱を床暖房マットの上面に万遍なく伝え、室内に向けて放熱する。なお、マット板中に釘打ち等の可能な木製小根太（図示されず）を所々に配置しておくものもある。
【００２１】
この床暖房マット敷設方法の例における建物の床構造を、図１（Ａ）を参照しつつ説明する。この例の床は典型的な日本の木造一戸建住宅の床構造である。床は、大引７と呼ばれる、ほぼ平行に配列された木材に支えられている。大引７は、通常１０５mm角の角材であり、所々で束９に支えられている。なお、建物の周辺部においてはコンクリート製の基礎の上に大引７と同じものが載っており、これは土台と呼ばれる。隣り合う大引間のピッチは通常約９１０mmである。
【００２２】
大引７の上には、大引７とほぼ直交して根太５が配列されている。根太５は通常幅４０mm×高さ４５mmの角材である。根太５間のピッチは約３０３mmである。
根太５の上にはフローリング板材等の床板１が貼られている。
【００２３】
床暖房マット３は、根太５と同じ高さ位置で、隣り合う根太間に敷設される。このとき、マット３の長手方向端部３ｂを、床板１の下面と大引７の上面の間に差し込む。こうすることにより、マット３を、接着剤や釘打ちによらずに床下に取り付けることができる。その際に、マット３をたわませて、その端部３ｂを大引７と床板１間に差し込む。マット３の長さは大引７のピッチとほぼ同じか、あるいは２倍（倍尺）である。倍尺の長いものについては、３本の大引７上に引き込む。
このように、床暖房マットがたわみ量（柔軟性）を確保した構造であるため、床材と根太の設置空間を滑らせるように押し込むことができる。これにより最初に挿入した床暖房マットと次に挿入した床暖房マットとの隙間が非常に小さくなり、床暖房時の温度ムラが小さくなる。また、床暖房マットの柔軟性により床下への搬入が容易にできる。
【００２４】
図２は、図１の床暖房マットを示す斜視図である。
この例の床暖房マット３は、平面の中央部３ａに温水パイプが通っており、長手方向端部３ｂ及び幅方向端部３ｃには温水パイプは通っていない。すなわち、マット３の端部３ｂ、３ｃは、マット板に放熱シートが貼られただけのものである。したがって、カッターナイフ等で簡単に切り落とすことができ、マット３の長さや幅を簡単に調整できる。
建物は様々な形状・寸法に作られることが多く、かつ各部の寸法精度も相当悪い。したがって、マットの寸法を簡単に調整できれば施工が楽になる。なお、マット板を切り落とすのと逆に、マット板と同じ厚さの断熱材の板を足すようにしてもよい。基本的には、隣り合うマット、例えば図１のマット３−１とマット３−２の間の隙間４は０になるようにする。
【００２５】
図３は、本発明の１実施例に係る床暖房マットを示す図である。（Ａ）は全体の平面図であり、（Ｂ）は温水パイプ取出部を拡大して示す側面断面図である。
この例の床暖房マット２１では、マット板２２の長手方向のほぼ中心部の両側に温水パイプ接続口が設けられている。すなわち、マット板２２の中央部側面には、マット板２２を一部切り欠いた凹部２７が形成されている。凹部２７は、図３（Ｂ）に示すようにマット板２２の下面側が長手方向に長く延びており、同部に温水パイプ接続管２５が収納されている。温水パイプ接続管２５は、マット板２２内に引き回されている温水パイプ２３の端部である。つまり、温水パイプ２３は、マット板２２の上辺の長手方向中央部の凹部２７から長手方向端部に向かって延び、マット板２２内を長手方向に２回往復して（Ｕターン４回）、再び下辺の凹部２７′から出ている。
【００２６】
温水パイプ接続管２５は、凹部２７中に収納されているので、マット２１を床下で引きずったような場合にも、温水パイプ２３が傷付くようなことがない。温水パイプ接続管２５の先にはワンタッチ継手２６が取り付けられている。
【００２７】
図４は、根太を挟んで幅方向に隣り合う床暖房マットの底面図である。（Ａ）は床暖房マットを取り付けた状態を示し、（Ｂ）は互いの温水パイプ接続管２５、２５′を接続した状態を示す。すなわち、隣り合うマット２１、２１′の温水パイプ接続管２５、２５′はちょうど隣り合う位置に来て、根太５の下で、ワンタッチ継手２６ａと２６ｂを結ぶことによって、隣り合う床暖房マット２１、２１′間で温水パイプが接続される。
【００２８】
図５は、温水パイプ接続管の端部のワンタッチ継手の詳細を示す図である。
一方のワンタッチ継手２６ａの中に他のワンタッチ継手２６ｂを差し込んで、両者のフランジ２６ｃをクランプ２８（市販品）で挟んでやれば、温水パイプ接続管２５と２５′を簡単に接続できる。なお、継手２６ｂの外表面の符号２６ｃはＯリングである。
従来の温水パイプの接続には、くさび形のギザギザのある短管を温水パイプの内孔に差し込んで２本の温水パイプを接続していたのであるが、この場合は短管の差し込みに時間がかかる。それに対して、この実施例ではワンタッチで温水パイプ接続ができる。
【００２９】
図６は、長手方向に２つ折り可能な床暖房マットの側面図である。
このマット４１では、マット板４５、４５′が長手方向の真中の切れ目４６で２つに切れている。そして、切れ目４６を掛け渡すように、両マット板４５、４５′間に温水パイプ４７が配設されている。切れ目４６を温水パイプ４７が通る部分は、凹部４９となっている。
【００３０】
マット板４５、４５′は、図６（Ａ）に示すように、その下面を合わせて２つに折り畳める。このとき、切れ目４６の部分の温水パイプ４７は、凹部４９内である適当な半径で湾曲するので折れて潰れるようなことはない。マット板４５、４５′を図６（Ｂ）、（Ｃ）のように開けば、切れ目４６が合わさって、一枚の長尺の床暖房マットとなる。
狭い床下で床暖房マットを運んで敷設する際に、上記のように簡単に床暖房マットを折り畳み展開できるので、作業が楽になる。
【００３１】
図７は、断熱層を有する床暖房マットの施工例を示す断面図である。
この例の床暖房マット５１は、マット板５３の下に、一体で軽量発泡樹脂材からなる断熱層５７を貼り合わせたものである。軽量発泡樹脂材断熱層５７の厚さは例えば２０〜４０mmである。このように、断熱層５７を一体化しておけば、一度に床暖房マットと断熱材を床下に取り付けることができる。
【００３２】
図８は、床暖房マットを下から支えて上に押し上げるマット敷設用治具を用いた床暖房マット敷設方法の１実施例を示す断面図である。
図９は、図８の床暖房マット敷設用治具（渡し板タイプ）の図である。（Ａ）は側面図、（Ｂ）は平面図である。
図１０は、渡し板タイプの床暖房マット敷設用治具と根太との寸法関係を示す側面図である。
この例の渡し板タイプの床暖房マット敷設用治具６１は、合板等からなる基板６３と、その上に配列された複数の押圧板６５を備える。押圧板６５は、軽量発泡樹脂材等からなり、実質的に根太５間のピッチと同じピッチで配列されている。押圧板６５の幅は、隣り合う根太５間の間隔よりもやや狭い（例えばピッチ３０３mm、幅２５０mm）ので、図１０に示すように、取り付け時には根太間にガイドされて入っていく。基板の寸法例は厚さ１２mm、幅４５mm、長さ９１０mmである。基板は必要な長さにカットして用いることもできる。
【００３３】
この渡し板タイプ床暖房マット敷設用治具６１を、床暖房マット３の下から当て、基板６３と根太５の下面に、釘打ち・ビス打ち・接着等により固定する。あるいは短めの板材において、根太方向に対して取り付けた後、９０度回転させることにより床暖房マットを固定する方式も可能である。
このとき、押圧板６５は自由時の厚さの１／２〜１／３に縮み、その弾性反発力で床暖房マット３を上に押し上げる。そのため、マット３の上面が床板１の下面に密着し、良好な熱伝導を確保できる。
【００３４】
このタイプの床暖房マット敷設用治具の利点をまとめると、以下である。
（１）床下から床暖房マットを固定するため、上地材との密着性が優れている
（２）１つの取付治具で床暖房マットを複数枚固定できるため、作業性に優れている。
（３）根太間に設置する際、マットの位置を確認しながら施工ができるので、マットの偏りを防止し、床暖房時の温度ムラをなくすことができる。
【００３５】
図１１は、クリップタイプのマット敷設用治具を用いた床暖房マット敷設方法を説明するための図である。
図１２は、図１１のクリップタイプの床暖房マット敷設用治具の詳細を示す図である。（Ａ）は側面図、（Ｂ）は正面図、（Ｃ）は基体の上端部の詳細を示す図である。
この例のクリップタイプの床暖房マット敷設用治具７１は、コの字状の金属薄板製の基体７３と、その側部に取り付けられた金属線からなるバネ部材７５（開閉ツマミ）を備える。バネ部材７５もコの字状であり、その先端部７５ａは、基体の上端部に設けられたポケット部７３ｆに入り込んで保持されている。基体７３の上端部は、外側にやや広がっており固定部７３ａと呼ばれる。基体７３の側板７３ｂの上端部内面には、図１２（Ｃ）に示すようにギザギザの爪７３ｄが突設されている。
【００３６】
根太５の間に床暖房マット３を取り付けた後に、クリップタイプ床暖房マット敷設用治具７１を、開閉ツマミ７５をつまんで基体７３の側板７３ｂ間を広げ、根太５の下部に挟み込む。なお、基体は指先の力で簡単に挟むことができる程度の締め付け力となっている。
治具７１を根太５の下部に挟み込むと、基体７３の上端部の固定部７３ａが床暖房マット３の下面を上に持ち上げる。さらに、バネ部材７５を基体７３の側部上方に向けてはね上げると、バネ部材７５は弾性により上方に付勢され、マット３の中央寄りの部分も上に押し上げられる。そのため、マット３は全面で床板１とよく接触する。
なお、固定部７３ａがなくてバネ部材７５だけでもよい。あるいは固定部７３ａの幅を広げてバネ部材７５をなくしてもよい。さらに、基体は根太を挟む構造でなく、根太に釘打ち等により固定できる金具であってもよい。
【００３７】
図１３は、弾性板状治具を用いてマットを支える床暖房マット敷設方法の例を示す側面図である。この例の板状治具８１は、建物の床下に配列された根太５の隣り合う根太間隔よりもやや広い幅を有する弾性板からなり、根太５の間に上凸に弾性変形させて押し込み、該板状治具８１の上面で床暖房マット３の下面を上に押圧することを特徴とする。
板状治具の寸法例は、厚さ約０．５mm、横幅３０mm、長手幅は根太間隔プラス２０mm程度である。そして、治具８１の端部には、根太側面に食い込む爪８１ａが形成されている。
【００３８】
この例では、まず板状治具８１を下凹にして根太５の側面間に挟む。次に、板状治具８１の下面を押して板状治具を上凸にして（板状治具８１′）その上面でマット板３の上面を押し上げる。この板状治具８１は、マット３の長手方向に、例えば３００〜３０３mmピッチで取り付けることができる。
【００３９】
図１１、１２、１３のようなバネ式の床暖房マット敷設用治具の特徴は以下である。
（１）バネ式取付治具の挟み込める範囲内であれば、根太寸法の大小にかかわらず、床暖房マットを容易に取り付けできる。また、何度も繰り返し使用が可能である。
（２）形状が軽量かつ小型のため、床下での持ち運び及び取付作業に優れている。
（３）根太間に設置する際、床暖房マットの位置を確認しながら施工ができるので、床暖房マットの偏りを防止し、床暖房時の温度ムラをなくすことができる。
（４）床暖房マットを位置調整のために、仮止めすることが容易である。
（５）根太の節目などビス、釘等を打ち込めない所にも対応できる。
（６）ドリル、金槌等固定に必要な工具を持ち込む必要がない。
（７）１つの治具で複数枚の床暖房マットを固定するため、価格は安価である。
【００４０】
本発明の床暖房マット敷設方法、床暖房マット及び床暖房マット敷設用治具は、これらの例に限定されず、様々な変形が可能である。例えば、図３又は図６の実施例では、図１９に示すように、床暖房マット１２１を横つなぎにすることもできる。図１９において、敷設後に横に並ぶ２枚の床暖房マット１２１、１２１′間を温水パイプ１２３で繋いである。この２枚の床暖房マット１２１、１２１′を横に折り重ねる。このとき温水パイプ１２３はマット１２１、１２１′の凹部１２７に収容される。
【００４１】
【発明の効果】
以上の説明から明らかなように、本発明によれば、以下の効果を得ることができる。
（１）床下のスペースを利用し床暖房を取り付けるため、生活空間を邪魔することなく（家具等の移動がない）床暖房工事が可能である。特に既築住宅において、床暖房が必要な空間（例えば台所の床下収納庫周りの狭い部分等）に、後付でいつでも簡易に設置が可能である。
（２）床下から設置する工法であるため、仕上げ床材との密着を確実にするとともに密着の度合いを確認することができる。
（３）床下から後付で設置するため、温水パイプに釘を打たれたりマットが破損することがない。
（４）床材と床暖房マットを接着剤により固定する必要もないため、古くなった床材の更新ができる。また、床下から設置するため、床下に潜れる部屋（脱衣室、トイレ等）に床暖房を容易に設置できる。
【図面の簡単な説明】
【図１】本発明の１実施例に係る床暖房マット敷設方法を説明するための図である。（Ａ）は建物の床の断面図である。（Ｂ）は床暖房マットの構造例を示す断面図である。
【図２】図１の床暖房マットを示す斜視図である。
【図３】本発明の１実施例に係る床暖房マットを示す図である。（Ａ）は全体の平面図であり、（Ｂ）は温水パイプ取出部を拡大して示す側面断面図である。
【図４】根太を挟んで幅方向に隣り合う床暖房マットの底面図である。（Ａ）は床暖房マットを取り付けた状態を示し、（Ｂ）は互いの温水パイプ接続管２５、２５′を接続した状態を示す。
【図５】温水パイプ接続管の端部のワンタッチ継手の詳細を示す図である。
【図６】長手方向に２つ折り可能な床暖房マットの側面図である。
【図７】断熱層を有する床暖房マットの施工例を示す断面図である。
【図８】床暖房マットを下から支えて上に押し上げる治具を用いた床暖房マット敷設方法の１実施例を示す断面図である。
【図９】図８の床暖房マット敷設用治具（渡し板タイプ）の図である。（Ａ）は側面図、（Ｂ）は平面図である。
【図１０】渡し板タイプの床暖房マット敷設用治具と根太との寸法関係を示す側面図である。
【図１１】クリップタイプの床暖房マット敷設用治具を用いた床暖房マット敷設方法を説明するための図である。
【図１２】図１１のクリップタイプの床暖房マット敷設用治具の詳細を示す図である。  （Ａ）は側面図、（Ｂ）は正面図、（Ｃ）は基体の上端部の詳細を示す図である。
【図１３】弾性板状治具を用いて床暖房マットを支える床暖房マット敷設方法の例を示す図である。
【図１４】従来の床暖房マット敷設方法を説明するための図である。（Ａ）は一部破断斜視図、（Ｂ）は掛具の取り付け方を拡大して示す斜視図、（Ｃ）は全体の断面図である。
【図１５】図１４の従来の床暖房マット敷設方法の変形例を示す図である。
【図１６】従来の他の床暖房マット敷設方法（根太上置き方式）を説明するための図である。（Ａ）は斜視図、（Ｂ）は断面図である。
【図１７】従来の床暖房マット敷設方法の問題点を説明するための図である。
【図１８】従来の床暖房マット敷設方法の問題点を説明するための図である。
【符号の説明】
１  床板                          ３  床暖房マット
３ａ  中央部                      ３ｂ  長手方向端部
３ｃ  幅方向端部                  ３ｄ  切り落とし片
４  隙間                          ５  根太
７  大引                          ９  束
１１  放熱シート                  １３  温水パイプ
１５  マット板                    ２１  床暖房マット
２２  マット板                    ２３  温水パイプ
２５  接続管                      ２６  ワンタッチ継手
２７  凹部（切り欠き部）          ２８  クランプ（市販品）
４１  温水マット                  ４３  放熱シート
４５  マット板                    ４６  切れ目
４７  温水パイプ                  ４９  凹部
５１  床暖房マット                ５３  マット板
５５  温水パイプ                  ５７  断熱層
６１  押圧板付板状床暖房マット敷設用治具
６３  基板                        ６５  押圧板
６９  束石
７１  クリップ上床暖房マット敷設用治具
７３  基体                        ７３ｂ  側板
７３ｃ  底板                      ７３ｄ  爪
７５  バネ部材
【図１】
0003802684.tif 000002
【図２】
0003802684.tif 000003
【図３】
0003802684.tif 000004
【図４】
0003802684.tif 000005
【図５】
0003802684.tif 000006
【図６】
0003802684.tif 000007
【図７】
0003802684.tif 000008
【図８】
0003802684.tif 000009
【図９】
0003802684.tif 000010
【図１０】
0003802684.tif 000011
【図１１】
0003802684.tif 000012
【図１２】
0003802684.tif 000013
【図１３】
0003802684.tif 000014
【図１４】
0003802684.tif 000015
【図１５】
0003802684.tif 000016
【図１６】
0003802684.tif 000017
【図１７】
0003802684.tif 000018
【図１８】
0003802684.tif 000019
【図１９】
0003802684.tif 000020